(57)【要約】【課題】  加湿効果を長時間維持できるとともに、蒸発促進シートを容易に洗浄できる自然気化式加湿器を提供する。【解決手段】  本発明は、水を自然に蒸発させて室内を加湿する自然気化式加湿器に関する。この加湿器は、自立可能なフレーム部材２と、フレーム部材２の下部に設けられた上方に開口する貯水容器３と、フレーム部材２の上部でかつ貯水容器３の直上に架設された吊り下げバー４と、貯水容器３に貯められた水に下端縁が浸水した状態で吊り下げバー３に吊り下げられる、吸水性を有する不定形材料よりなる蒸発促進シート５と、を備える。【選択図】図１
2013044518.tif 000002
【特許請求の範囲】
【請求項１】
水を自然に蒸発させて室内を加湿する自然気化式加湿器であって、
自立可能なフレーム部材と、
前記フレーム部材の下部に設けられた上方に開口する貯水容器と、
前記フレーム部材の上部でかつ前記貯水容器の直上に架設された吊り下げバーと、
前記貯水容器に貯められた水に下端縁が浸水した状態で前記吊り下げバーに吊り下げられる、吸水性を有する不定形材料よりなる蒸発促進シートと、
を備えていることを特徴とする自然気化式加湿器。
【請求項２】
前記貯水容器は、前記フレーム部材に対して着脱自在に取り付けられている請求項１に記載の自然気化式加湿器。
【請求項３】
前記フレーム部材の底枠部に、前記貯水容器の下部が嵌合する収納凹部が形成されている請求項２に記載の自然気化式加湿器。
【請求項４】
前記フレーム部材の前後方向一面側が、通気性を有するカバー部材で覆われている請求項１〜３のいずれか１項に記載の自然気化式加湿器。
【請求項５】
前記フレーム部材の上端部に、当該フレーム部材を壁などに設けられた引っ掛け部材に吊り下げるための被係合部が設けられている請求項１〜４のいずれか１項に記載の自然気化式加湿器。
【発明の詳細な説明】
【技術分野】
【０００１】  本発明は、水を自然に蒸発させて室内を加湿する自然気化式加湿器に関する。
【背景技術】
【０００２】  従来、この種の自然気化式加湿器の先行技術として、例えば特許文献１及び２に記載のものが知られている。
このうち、特許文献１に記載の加湿器は、ハンガー型又はスタンド型の吊り下げ器具と、この吊り下げ器具の梁部材の外周面を被覆するように設けられた吸水性のあるスポンジと、このスポンジに折り曲げ状に吊り下げられたティッシュとから構成され、スポンジで吸水した水分をティッシュから蒸発させることで、室内を加湿するものである。【０００３】  また、特許文献２に記載の加湿器は、吸水性を有するシート部材を折り曲げて複数の加湿片を形成した加湿エレメントと、このエレメントの下端部が内部に浸水した状態で差し込まれた容器とから構成され、容器内の水を加湿エレメントから蒸発させることで、室内を加湿するものである。
【先行技術文献】
【特許文献】
【０００４】
【特許文献１】  特開２０１１−１４５０４８号公報
【特許文献２】  特開２００７−１０７７６８号公報
【発明の概要】
【発明が解決しようとする課題】
【０００５】  特許文献１に記載の加湿器では、スポンジが吸水した水分を蒸発促進シートの一種であるテッィシュから蒸発させるものであるから、スポンジで貯水できる水分量が非常に少なく、加湿効果を長時間維持できないという欠点がある。
また、特許文献２に記載の加湿器は、蒸発促進シートの一種である加湿エレメントが、それ自体を自立可能とすべくシート部材を複雑な形状に折り曲げた形状であるため、塵や埃が加湿エレメントに付着すると、その洗浄が面倒であるという欠点がある。【０００６】  本発明の課題は、加湿効果を長時間維持できるとともに、蒸発促進シートを容易に洗浄できる、加湿効果と清潔さに優れた自然気化式加湿器を提供する点にある。
【課題を解決するための手段】
【０００７】  本発明は、水を自然に蒸発させて室内を加湿する自然気化式加湿器であって、自立可能なフレーム部材と、前記フレーム部材の下部に設けられた上方に開口する貯水容器と、前記フレーム部材の上部でかつ前記貯水容器の直上に架設された吊り下げバーと、前記貯水容器に貯められた水に下端縁が浸水した状態で、前記吊り下げバーに吊り下げられる蒸発促進シートと、を備えていることを特徴とする。【０００８】  本発明によれば、蒸発促進シートが、貯水容器に貯められた水に下端縁が浸水した状態で吊り下げバーに吊り下げられるので、貯水容器に必要な水量を貯水しておくことで、加湿効果を長時間維持することができる。
また、本発明によれば、蒸発促進シートが吸水性を有する不定形材料（例えば、タオルや手拭い等の織布又は不織布）よりなるので、吊り下げバーから取り外して簡単に洗浄することができる。【０００９】  本発明において、前記貯水容器は、前記フレーム部材に対して着脱自在に取り付けられていることが好ましい。
この場合、貯水容器をフレーム部材から取り外して貯水容器だけを洗浄できるようになるので、貯水容器がフレーム部材に固定されている場合に比べて、貯水容器を容易に洗浄することができる。【００１０】  本発明において、フレーム部材の底枠部に、前記貯水容器の下部が嵌合する収容凹部が形成されていることが好ましい。
このようにすれば、貯水容器の下部を底枠部の収容凹部に嵌合させてセットできるので、貯水容器が底枠部から簡単に外れて転倒するのを未然に防止することができる。【００１１】  本発明において、前記フレーム部材の前後方向一面側が、通気性を有するカバー部材で覆われていることが好ましい。
この場合、フレーム部材の枠内を通過する風によって、蒸発促進シートがフレーム部材の表裏方向に煽られて、当該シートの下端縁が貯水容器から外れるのを未然に防止することができる。【００１２】  本発明において、前記フレーム部材の上端部に、当該フレーム部材を壁などに設けられた引っ掛け部材に吊り下げるための被係合部が設けられていることが好ましい。
このようにすれば、フレーム部材を部屋の床やテーブルなどに載置する使用態様に加えて、フレーム部材を吊り下げ状態とする使用態様を付加することができ、より使い勝手に優れた自然気化式加湿器が得られる。
【発明の効果】
【００１３】  本発明の自然気化式加湿器によれば、加湿効果を長時間維持することができ、しかも、蒸発促進シートを吊り下げバーから取り外して簡単に洗浄できるので、加湿効果と清潔さに優れた自然気化式加湿器を得ることができる。
【図面の簡単な説明】
【００１４】
【図１】  本発明の実施形態に係る自然気化式加湿器の斜視図である。
【図２】  （ａ）は、蒸発促進シートを取り外した自然気化式加湿器の正面図であり、（ｂ）はその側面図であり、（ｃ）はその平面図である。
【発明を実施するための形態】
【００１５】  以下、願書に添付の図面を参照しながら、本発明の実施形態を説明する。
図１及び図２に示すように、本実施形態の自然気化式加湿器（以下、単に「加湿器」ということもある。）１は、自立可能なフレーム部材２と、フレーム部材２の下部に設けられた貯水容器３と、フレーム部材２の上部に架設された吊り下げバー４と、吊り下げバー４に着脱自在に吊り下げ可能な蒸発促進シート５と、フレーム部材２を背面側に取り付けられたカバー部材６とを備える。
【００１６】  フレーム部材２は、正面から見て縦長のほぼ長方形状の枠材よりなり、横梁部１１と左右一対の支柱部１２とが一体に形成された枠本体１３と、この枠本体１３の下端部同士を連結する底枠部１４とから構成されている。なお、フレーム部材２の高さ寸法は約５０ｃｍに設定され、幅寸法は約３０ｃｍに設定されている。
枠本体１３と底枠部１４は、いずれも硬質プラスチック製である。枠本体１３の支柱部１２は、下端側に向かうに従って正面側に膨出する形状に形成されており、これにより、フレーム部材２の前後方向の安定性を向上させている。
【００１７】  底枠部１４の幅（フレーム部材の枠内幅）は、貯水容器３よりも若干大きい寸法となっており、この底枠部１４の上に貯水容器３を着脱自在にセットすることができる。
また、底枠部１４には、貯水容器３の下部が嵌合する収納凹部１５（図１参照）が形成されている。従って、収納凹部１５に貯水容器３の下部を嵌め込んでセットすることができ、これにより、僅かなゆれで貯水容器３が底枠部１４から外れて転倒するのを防止している。
【００１８】  貯水容器３は、上方に開口するほぼ直方体状の、硬質プラスチック製の容器で構成されている。また、貯水容器３の容量は、蒸発促進シート５から水分を吸い上げられても、約５時間以上は内部の水が無くならない程度の容量とされている。
【００１９】  吊り下げバー４は、フレーム部材２の枠内の上端よりに横梁部１１と平行に架設されている。このため、吊り下げバー４は、枠内にセットされた貯水容器３の直上に位置する。
また、吊り下げバー４と横梁部１１との間には、所定寸法の間隔が設けられている。従って、横梁部１１は加湿器１を運ぶ際の手持ち部としての機能と、壁などに設けられた引っ掛け部材（図示せず）に、直接又は間接的に吊り下げるための被係合部としての機能を有する。
【００２０】  蒸発促進シート５は、織布や不織布などの吸水性を有する不定形材料よりなる。このシート５は、自然気化式加湿器１を市販する場合に部品として製品に含めてもよいし、ユーザーが所有する市販のタオルや手拭いを代用品として使用してもよい。
蒸発促進シート５は、貯水容器３の上方開口部とほぼ同じ幅寸法を有し、かつ、底枠部１４から吊り下げバー４までの高さ寸法のほぼ２倍強の長さ寸法を有する。このため、蒸発促進シート５を２つ折りにして吊り下げバー４に吊り下げると、シート５の下端縁が貯水容器３に貯められた水に浸水した状態となる。
【００２１】  カバー部材６は、フレーム部材２の背面側を覆うことで蒸発促進シート５の煽りを防止するためのもので、フレーム部材２から背面側に膨らんだ形状のプレート材よりなる。カバー部材６は、縦横に配列された上下方向に長い複数のスリット１６を有し、このスリット１６によってカバー部材６に通気性が付与されている。
なお、左右の支柱部１２の中央部には、枠内側に突出するシート止め片１７が設けられ、このシート止め片１７によっても蒸発促進シート５の煽りが防止されている。
【００２２】  本実施形態の加湿器１を使用するには、吊り下げバー４に蒸発促進シート５を２つ折り状態となるように吊り下げ、水が入った貯水容器３を底枠部１４の上にセットし、その後、吊り下げられた蒸発促進シート５の下端縁を貯水容器３の内部に浸水させればよい。
なお、先に貯水容器３をフレーム部材２の内部にセットしてから、蒸発促進シート５を吊り下げバー４に吊り下げてもよい。
【００２３】  本実施形態の加湿器１によれば、蒸発促進シート５が、貯水容器３に貯められた水に下端縁が浸水した状態で吊り下げバー４に吊り下げられるので、貯水容器３に必要な水量を貯水しておくことで、加湿効果を長時間維持することができる。
また、本実施形態の加湿器１によれば、タオルや手拭いなどの織布又は不織布よりなるので、吊り下げバー４から取り外して簡単に洗浄することができる。
【００２４】  また、貯水容器３をフレーム部材２から取り外せるので、貯水容器３を単体で洗浄可能である。このため、貯水容器３がフレーム部材２に固定されている場合に比べて、貯水容器３の洗浄作業が簡単になる。
更に、フレーム部材２の背面側がスリット１６のあるカバー部材６で覆われているので、蒸発促進シート５からの水分の気化を阻害することなく、蒸発促進シート５の下端部が風に煽られて貯水容器３から外れるのを未然に防止できるという効果もある。
【００２５】  なお、本発明の技術的範囲は、特許請求の範囲の構成と均等の範囲内のすべての変更が含まれるものであり、上記実施形態に限定されるものではない。
【符号の説明】
【００２６】  １      自然気化式加湿器
２      フレーム部材
３      貯水容器
４      吊り下げバー
５      蒸発促進シート
６      カバー部材
１１      横梁部
１２      支柱部
１３      枠本体
１４      底枠部
１５      収納凹部
１６      スリット
１７      シート止め片
【図１】
2013044518.tif 000003
【図２】
2013044518.tif 000004